(57)【要約】【課題】両分割保持器の重ね合わせ目に異物が堆積したとしてもボールと堆積異物の衝突を防止可能な樹脂保持器にする。【解決手段】円筒形の第１分割保持器と、第１分割保持器の内側に挿入される円筒形の第２分割保持器とに内外に組み合わせた状態でボール保持用の円形のポケットを形成する切欠部４４、４７を円周方向に間隔をおいて設け、両分割保持器４１、４２を係合爪５０、５３及び係合凹部５１、５４からなる連結手段で非分離とする樹脂保持器において、前記組み合わせた状態で内外に重なった切欠部４４、４７同士の重ね合わせ目５５が、ボール３１のピッチ円径（ＰＣＤ）から径方向にポケットすきまδ１より大きく偏った位置に形成されるようにした。【選択図】図１
2013096434.tif 000002
【特許請求の範囲】
【請求項１】
円筒形の第１分割保持器（４１）と、前記第１分割保持器（４１）の内側に挿入される円筒形の第２分割保持器（４２）とからなり、
前記第１分割保持器（４１）及び前記第２分割保持器（４２）のそれぞれに、これら両分割保持器（４１、４２）を内外に組み合わせた状態でボール保持用の円形のポケットを形成する切欠部（４４、４７）を円周方向に間隔をおいて設け、前記組み合わせた状態で、これら両分割保持器（４１、４２）を軸方向に非分離とする連結手段を設け、
前記連結手段が、前記第１分割保持器（４１）の隣接する前記切欠部（４４）間に形成された柱部（４９）の先端部に内向きの係合爪（５０）を設け、前記第２分割保持器（４２）の隣接する前記切欠部（４７）間に形成された柱部（５２）の先端部に外向きの係合爪（５３）を設け、前記第１分割保持器（４１）の前記係合爪（５０）を前記第２分割保持器（４２）の外径面に形成された係合凹部（５４）に係合し、前記第２分割保持器（４２）の前記係合爪（５３）を前記第１分割保持器（４１）の内径面に形成された係合凹部（５１）に係合したことからなる樹脂保持器において、
前記組み合わせた状態で内外に重なった前記切欠部（４４、４７）同士の重ね合わせ目（５５）が、ボール（３１）のピッチ円径（ＰＣＤ）から径方向にポケットすきま（δ１）より大きく偏った位置に形成されることを特徴とする樹脂保持器。
【請求項２】
前記内外に重なった切欠部（４４、４７）同士のうち、前記重ね合わせ目（５５）を前記ピッチ円径（ＰＣＤ）から偏らせた側に位置する一方の切欠部の径方向肉厚（ｔ１）を、前記重ね合わせ目（５５）と前記ピッチ円径（ＰＣＤ）との間の径方向偏り量（ｄ１）だけ他方の切欠部の径方向肉厚（ｔ２）より薄くした請求項１に記載の樹脂保持器。
【請求項３】
前記重ね合わせ目（５５）が、前記ピッチ円径（ＰＣＤ）から外側に偏った位置に形成される請求項２に記載の樹脂保持器。
【請求項４】
前記重ね合わせ目（５５）が、前記ピッチ円径（ＰＣＤ）から内側に偏った位置に形成される請求項２に記載の樹脂保持器。
【請求項５】
前記第１分割保持器（４１）の切欠部（４４）の内面及び前記第２分割保持器（４２）の切欠部（４７）の内面を、前記ボール（３１）に沿う球状に形成した請求項１から４のいずれか１項に記載の樹脂保持器。
【請求項６】
前記係合爪（５０、５３）と係合凹部（５４、５１）の係合箇所を円周方向等配で３箇所以上に設けた請求項１から５のいずれか１項に記載の樹脂保持器。
【請求項７】
前記第１分割保持器（４１）及び前記第２分割保持器（４２）をポリアミド樹脂（ＰＡ）で成形した請求項１から６のいずれか１項に記載の樹脂保持器。
【請求項８】
前記第１分割保持器（４１）及び前記第２分割保持器（４２）をポリエーテルエーテルケトン樹脂（ＰＥＥＫ）で成形した請求項１から６のいずれか１項に記載の樹脂保持器。
【請求項９】
前記第１分割保持器（４１）及び前記第２分割保持器（４２）をポリフェニレンスルファイド樹脂（ＰＰＳ）で成形した請求項１から６のいずれか１項に記載の樹脂保持器。
【請求項１０】
前記第１分割保持器（４１）及び前記第２分割保持器（４２）のうち、少なくとも一方の分割保持器（４１、４２）に、自己の前記切欠部（４４、４７）よりも径方向に突出した鍔（６１、６２、７１、７２）を設けた請求項１から９のいずれか１項に記載の樹脂保持器。
【請求項１１】
前記鍔（６２、７１）を、前記一方の分割保持器（４１、４２）と組み合わせた相手側の分割保持器（４２、４１）の前記切欠部（４７、４４）と軸方向に対面するように円周方向に亘って設け、前記鍔（６２、７１）の反切欠部（４４、４７）側の軸方向側面（６３、７３）を、円周方向に亘る平坦面とした請求項１０に記載の樹脂保持器。
【請求項１２】
前記内外に重なった切欠部（４４、４７）同士のうち、前記重ね合わせ目（５５）を前記ピッチ円径（ＰＣＤ）から偏らせた側に位置する一方の切欠部の径方向肉厚（ｔ１）を他方の切欠部の径方向肉厚（ｔ２）より薄くし、
前記鍔（６２、７１）を、前記一方の切欠部（４４、４７）をもつ前記一方の分割保持器（４１、４２）に前記ピッチ円径（ＰＣＤ）を越える突出高さで設けた請求項１１に記載の樹脂保持器。
【請求項１３】
前記鍔（６１、６２、７１、７２）を、前記一方の分割保持器（４１、４２）の軸方向端部に設けた請求項１０から１２のいずれか１項に記載の樹脂保持器。
【請求項１４】
外輪（１１）の軌道溝（１２）及び内輪（２１）の軌道溝（２２）のそれぞれ両側に位置する合計４つの肩（１３ａ、１３ｂ、２３ａ、２３ｂ）のうち、外輪軌道溝（１２）の一側の肩（１３ａ）及び内輪軌道溝（２２）の他側の肩（２３ｂ）の高さ（Ｈ１）が、外輪軌道溝（１２）の他側の肩（１３ｂ）及び内輪軌道溝（２２）の一側の肩（２３ａ）の高さより高い深みぞ玉軸受において、
請求項１から１３のいずれか１項に記載の樹脂保持器（４０）を備えることを特徴とする深みぞ玉軸受。
【発明の詳細な説明】
【技術分野】
【０００１】
この発明は、合成樹脂で形成された玉軸受用の樹脂保持器、及びこれを用いた深みぞ玉軸受に関する。
【背景技術】
【０００２】
自動車用トランスミッションなどに使用する軸受として、大きなラジアル荷重及びスラスト荷重を受けることができ、かつ損失トルクを円すいころ軸受の採用時よりも低減するため、深みぞ玉軸受を用いることが好ましい。
【０００３】
この用途に適した深みぞ玉軸受として、過大なスラスト荷重が負荷された際、そのスラスト荷重を受ける負荷側の肩にボールが乗り上げて、肩のエッジが損傷スラスト負荷時、ボールが肩に乗り上げることを防止するため、外輪の軌道溝および内輪の軌道溝のそれぞれ両側に形成された肩のうち、スラスト荷重を受ける側の肩を高くして、ボールの乗り上げを阻止し、軸受の耐久性の低下を抑制するようにしたものがある（特許文献１〜４）。
【０００４】
この種の深みぞ玉軸受に適した保持器として、図１０〜図１２に示すように、円筒形の第１分割保持器８１と、第１分割保持器８１の内側に嵌合された円筒形の第２分割保持器８２とからなり、第１分割保持器８１の軸方向一側面と第２分割保持器８２の軸方向他側面に、両分割保持器８１、８２を内外に組み合わせた状態でボール９３保持用の円形のポケットを形成する切欠部８３、８４を円周方向に間隔をおいて設け、その組み合わせた状態で、その両分割保持器８１、８２を軸方向に非分離とする連結手段を設けた樹脂保持器８０が提案されている。この連結手段は、第１分割保持器８１の隣接する切欠部８３間に形成された柱部の先端部に内向きの係合爪８５を設け、第２分割保持器８２の隣接する切欠部８４間に形成された柱部の先端部に外向きの係合爪８６を設け、第１分割保持器８１の係合爪８５を第２分割保持器８２の外径面に形成された係合凹部８７に係合し、第２分割保持器８２の係合爪８６を第１分割保持器の内径面に形成された係合凹部８８に係合したことからなっている（特許文献２〜４）。
【０００５】
特許文献２〜４の樹脂保持器を採用した深みぞ玉軸受の組立てに際しては、外輪９１と内輪９２間にボール９３を組み込んだ後、外輪９１と内輪９２の一側方から軸受内部に第１分割保持器８１を、第１分割保持器８１の切欠部８３内にボール９３が収容されるように挿入し、かつ、外輪９１と内輪９２間の他側方から軸受内部に第２分割保持器８２を、第２分割保持器８２の切欠部８４内にボール９３が収容されるように挿入して、第１分割保持器８１の軸方向の一側部内に第２分割保持器８２の軸方向の他側部を嵌合して、連結手段により、その両分割保持器８１、８２を連結することになる。この嵌合により、連結手段が互いに係合して第１分割保持器８１と第２分割保持器８２は軸方向に非分離とされ、深みぞ玉軸受の組立てが完了する。このとき、径の異なる第１分割保持器８１と第２分割保持器８２は、両端部が軸方向（左右方向）にずれる非対称の組合せであり、組み込み時における挿入方向の後端部が外輪９１の肩と内輪９２の肩間に位置する組み込みであるため、内・外輪９１、９２の肩に干渉するようなことはない。円形のポケット内にボール９３が保持された組合せ状態で両分割保持器８１、８２が連結手段で軸方向に非分離とされるので、大きなモーメント荷重が負荷されてボールに遅れや進みが生じても、樹脂保持器が脱落するようなことはない。トランスミッションのインプットシャフト等のトルク伝達シャフトを深みぞ玉軸受で支持する状態において、トルク伝達シャフトが回転すると、ボール９３は自転しつつ公転し、その公転により、樹脂保持器８０も回転し、外輪９１と内輪９２間に介在する潤滑油は樹脂保持器８０との接触によって連れ回されることになる。このとき、第１分割保持器８１と第２分割保持器８２は外径が異なるため、周速に差が生じ、第１分割保持器８１との接触によって連れ回される潤滑油の流れは第２分割保持器８２との接触によって連れ回される潤滑油の流れより速くなり、流れの速い側に流れの遅い側の潤滑油が引き寄せられて、軸受内部にポンプ作用が生じる。そのポンプ作用により潤滑油が軸受内部を一方向に流動し、深みぞ玉軸受は強制的に潤滑されることになる。したがって、潤滑性の向上を図ることもできる。
【先行技術文献】
【特許文献】
【０００６】
【特許文献１】特開２０００−１４５７９５号公報（要約書）
【特許文献２】特開２０１１−７２８４号公報
【特許文献３】特開２０１１−７２８６号公報
【特許文献４】特開２０１１−２１６６１号公報
【発明の概要】
【発明が解決しようとする課題】
【０００７】
しかしながら、特許文献２〜４の樹脂保持器は、両分割保持器８１、８２を組み合わせた状態で内外に重なった切欠部８３、８４同士の重ね合わせ目が存在する。異物が潤滑油に運ばれて軸受内部に至る軸受使用条件下では、その異物が、ポケットを形成する切欠部８３、８４同士の重ね合わせ目に堆積し得る。特許文献２〜４の樹脂保持器では、ボール９３と堆積異物の接触について考慮されておらず、重ね合わせ目は、ボール９３のピッチ円径（ＰＣＤ）と略同径上に形成されていた。ピッチ円径（ＰＣＤ）と略同径上のポケット内面箇所は、軸受運転中、ボール９３と円周方向に最も衝突し易いポケット内面部分になる。トランスミッションのようにギヤ摩耗などの硬い異物が堆積し得る軸受使用条件では、ボール９３の進み遅れが生じたとき、切欠部８３、８４同士の重ね合わせ目に存在する堆積異物とボール９３の衝突が短寿命の原因になり得る。
【０００８】
そこで、この発明が解決しようとする課題は、両分割保持器の重ね合わせ目に異物が堆積したとしてもボールと堆積異物の衝突を防止可能な樹脂保持器にすることである。
【課題を解決するための手段】
【０００９】
上記の課題を達成するため、この発明は、円筒形の第１分割保持器と、前記第１分割保持器の内側に挿入される円筒形の第２分割保持器とからなり、前記第１分割保持器および前記第２分割保持器のそれぞれに、これら両分割保持器を内外に組み合わせた状態でボール保持用の円形のポケットを形成する切欠部を円周方向に間隔をおいて設け、前記組み合わせた状態で、これら両分割保持器を軸方向に非分離とする連結手段を設け、前記連結手段が、前記第１分割保持器の隣接する前記切欠部間に形成された柱部の先端部に内向きの係合爪を設け、前記第２分割保持器の隣接する前記切欠部間に形成された柱部の先端部に外向きの係合爪を設け、前記第１分割保持器の前記係合爪を前記第２分割保持器の外径面に形成された係合凹部に係合し、前記第２分割保持器の前記係合爪を前記第１分割保持器の内径面に形成された係合凹部に係合したことからなる樹脂保持器において、前記組み合わせた状態で内外に重なった前記切欠部同士の重ね合わせ目が、ボールのピッチ円径から径方向にポケットすきまより大きく偏った位置に形成される構成を採用したものである。
【００１０】
ボールの進み遅れ、各種誤差、樹脂保持器の遠心力による変形等を許容するため、樹脂保持器がボールに対して自由に軸方向、径方向及び円周方向の各方向に動けるようにポケットすきまが設定される。軸受運転中、樹脂保持器が径方向のポケットすきまに応じて軸受中心軸から偏心する。この偏心により、あるポケットの切欠部同士の重ね合わせ目は、外側又は内側へ径方向に変位するが、ボールのピッチ円径は変化しない。重ね合わせ目がピッチ円径に対して径方向に変位し得る大きさは、径方向のポケットすきまで決まる。したがって、ボールのピッチ円径から径方向にポケットすきまより大きく偏った位置に重ね合わせ目が形成されるようにすれば、樹脂保持器の偏心により、重ね合わせ目がピッチ円径上へ変位することはない。このため、軸受運転中、重ね合わせ目に異物が堆積したとしても、ボールと堆積異物の衝突を防止することができる。
【００１１】
具体的には、前記内外に重なった切欠部同士のうち、前記重ね合わせ目を前記ピッチ円径から偏らせた側に位置する一方の切欠部の径方向肉厚を、前記重ね合わせ目と前記ピッチ円径との間の径方向偏り量だけ他方の切欠部の径方向肉厚より薄くしたことが好ましい。樹脂保持器の外径を大きくしたり、内径を小さくしたりすることなく、第１分割保持器の内径及び第２分割保持器の外径の径変更のみで切欠部同士の径方向肉厚差を付けて、重ね合わせ目を上記のように偏った位置に形成することができるので、内外輪間への保持器組み込み性を良好に保つことができる。
【００１２】
前記重ね合わせ目は、前記ピッチ円径から内外いずれ側へ偏らせてもよい。
【００１３】
前記重ね合わせ目が前記ピッチ円径から外側に偏った位置に形成されるようにすれば、
第１分割保持器の内径、及びこの内側に挿入する第２分割保持器の外径を大径化し、第１分割保持器の内外両側に軌道輪との間の隙間を得易い。
【００１４】
逆に、前記重ね合わせ目が前記ピッチ円径から内側に偏った位置に形成されるようにすれば、第１分割保持器の内径、及びこの内側に挿入する第２分割保持器の外径を小径化し、第１分割保持器の径方向肉厚を大きくすることができるので、高速回転時に遠心力が比較的に大きく作用する第１分割保持器の剛性を確保し易い。
【００１５】
第１分割保持器の切欠部の内面及び第２分割保持器の切欠部の内面形状は、円周方向のポケットすきまがピッチ円径の円周上で最小になる公知の形状を適宜に採用することができる。
【００１６】
例えば、前記第１分割保持器の切欠部の内面及び前記第２分割保持器の切欠部の内面を、前記ボールに沿う球状に形成することができる。球状に代えて特許文献２、４のように円筒状にすることも可能だが、比較的に、球状の方が径方向のポケットすきまを小さくし易いので、前記重ね合わせ目と前記ピッチ円径との間の径差を径方向のポケットすきまより大きくし易い利点がある。
【００１７】
前記連結手段を構成する前記係合爪と係合凹部の係合箇所を、円周方向等配で３箇所以上に設けると、両分割保持器を全周に亘って結合し易くなる。
【００１８】
この発明においても、前記第１分割保持器及び前記第２分割保持器は、ポリアミド樹脂（ＰＡ）、ポリエーテルエーテルケトン樹脂（ＰＥＥＫ）、ポリフェニレンスルファイド樹脂（ＰＰＳ）のいずれかを適宜に用いて成形することができる。
【００１９】
前記第１分割保持器及び前記第２分割保持器のうち、少なくとも一方の分割保持器に、自己の前記切欠部よりも径方向に突出した鍔を設けてもよい。鍔により、軌道輪と当該分割保持器との間の径方向隙間を狭められるので、保持器内部に流入するオイル量を減らし、公転するボールや切欠部がオイルを攪拌する攪拌抵抗を減少させることができる。ひいては、軸受回転の低トルク化に寄与する。
【００２０】
前記鍔を、前記一方の分割保持器と組み合わせた相手側の分割保持器の前記切欠部と軸方向に対面するように円周方向に亘って設け、前記鍔の反切欠部側の軸方向側面を、円周方向に亘る平坦面とすることが好ましい。従来品のように、軸受外部から内外輪間へ流入したオイルと早期に接触する内外輪の肩部間から軸方向に、切欠部や柱部による軸方向の凹凸が円周方向に繰り返し露出していると、回転する樹脂保持器の軸方向側面がオイルを攪拌する攪拌抵抗を大きくする一因となる。相手側の分割保持器と軸方向に対面する鍔にすれば、前記軸方向の凹凸が内外輪の肩部間から軸方向に露出する量を円周方向に亘って鍔で減らすことができる。その上で、鍔の反切欠部側の軸方向側面を円周方向に亘る平坦面とすれば、内外輪の肩部間から軸方向に露出する樹脂保持器の軸方向側面部分において、軸方向の凹凸が円周方向に繰り返さない部分を増やし、攪拌抵抗を減少させることができる。
【００２１】
前記内外に重なった切欠部同士のうち、前記重ね合わせ目を前記ピッチ円径から偏らせた側に位置する一方の切欠部の径方向肉厚を他方の切欠部の径方向肉厚より薄くする場合、前記鍔を、前記一方の切欠部をもつ前記一方の分割保持器に前記ピッチ円径を越える突出高さで設けることが好ましい。一方の切欠部の径方向肉厚を薄くしつつ、鍔により、保持器内部へのオイル流入量を減少させることができる。
【００２２】
前記鍔を、前記一方の分割保持器の軸方向端部に設けることも好ましい。ボール、切欠部から鍔を最も遠ざけることができ、ボール表面でのオイル流動性が鍔で低下することを避けることができる。
【００２３】
この発明に係る樹脂保持器は、外輪の軌道溝および内輪の軌道溝のそれぞれ両側に位置する合計４つの肩のうち、外輪軌道溝の一側の肩および内輪軌道溝の他側の肩の高さが、外輪軌道溝の他側の肩および内輪軌道溝の一側の肩の高さより高い深みぞ玉軸受に採用することができ、これにより、大きなスラスト荷重を受ける軸受使用条件下でのボールの肩乗り上げを阻止して短寿命化を防ぎ、大きなモーメント荷重を受ける軸受使用条件下でも樹脂保持器の脱落を防ぎ、両分割保持器の潤滑油連れ回しによるポンプ作用で潤滑性をよくしつつ、潤滑油に含まれた異物が重ね合わせ目に堆積する軸受使用条件化でも短寿命化を防ぐことができる。
【発明の効果】
【００２４】
上述のように、この発明は、上記構成の採用により、両分割保持器の重ね合わせ目に異物が堆積したとしても、ボールと最も衝突し易いポケット内面箇所から外れた箇所で堆積が生じるので、ボールと堆積異物の衝突を防止可能な樹脂保持器にすることができる。
【図面の簡単な説明】
【００２５】
【図１】この発明に係る第１実施形態の樹脂保持器を採用した深みぞ玉軸受の縦断正面図
【図２】（ａ）は図１に示す樹脂保持器の一部分を示す右側面図、（ｂ）は図１の重ね合わせ目付近の拡大縦断側面図
【図３】図１に示す樹脂保持器の一部分を示す左側面図
【図４】第１分割保持器と第２分割保持器の一部分を示す平面図
【図５】第１実施形態の変更例を示す縦断正面図
【図６】図５に示す樹脂保持器の一部分を示す右側面図
【図７】図５に示す樹脂保持器の一部分を示す左側面図
【図８】この発明に係る第２実施形態の樹脂保持器を採用した深みぞ玉軸受の縦断正面図
【図９】この発明に係る第３実施形態の樹脂保持器を採用した深みぞ玉軸受の縦断正面図
【図１０】従来例の縦断正面図
【図１１】従来例の右側面図
【図１２】従来例の左側面図
【発明を実施するための形態】
【００２６】
以下、この発明に係る実施形態を添付図面に基づいて説明する。図１に示すように、この深みぞ玉軸受は、外輪１１の内径面に形成された軌道溝１２と、内輪２１の外径面に設けられた軌道溝２２間にボール３１を組み込み、そのボール３１を樹脂保持器４０で保持している。
【００２７】
ここで、外輪１１の軌道溝１２の両側に形成された一対の肩１３ａ、１３ｂのうち、軌道溝１２の一側方に位置する肩１３ａの高さを標準型深みぞ玉軸受の外輪の肩の高さより高くし、他側方に位置する肩１３ｂを標準型深みぞ玉軸受の外輪の肩の高さと同じ高さとしている。また、内輪２１の軌道溝２２の両側に形成された一対の肩２３ａ、２３ｂのうち、軌道溝２２の他側方に位置する肩２３ｂの高さを標準型深みぞ玉軸受の内輪の肩の高さより高くし、一側方に位置する肩２３ａの高さを標準型深みぞ玉軸受の内輪の肩の高さと同じ高さとしている。
【００２８】
外輪１１および内輪２１は、標準型深みぞ玉軸受の外輪および内輪と同一の構成からなるものを用いるようにしてもよく、また、外輪１１の他側方に位置する肩１３ｂおよび内輪２１の一側方に位置する肩２３ａの肩高さを標準型深みぞ玉軸受の肩の高さより低くしてもよい。なお、標準型深みぞ玉軸受とは、外輪の一対の肩の高さおよび内輪の一対の肩の高さが同じ高さとされている軸受のことをいう。
【００２９】
図１〜図３に示すように、樹脂保持器４０は、第１分割保持器４１と、その第１分割保持器４１の内側に挿入された第２分割保持器４２とからなる。
【００３０】
図４に示すように、第１分割保持器４１は、環状体４３の軸方向一側面に、環状体４３を刳り抜く平面形状が２分の１円を超える大きさの切欠部４４を円周方向に等間隔で形成した、全体が合成樹脂の成形品からなっている。軸方向とは、軸受中心軸に平行な方向のことをいい、円周方向とは、軸受中心軸回りの方向のことをいう。なお、径方向は、軸受中心軸に直角な方向のこという。樹脂保持器４０の中心軸は、軸受中心軸と同軸に設定されている。
【００３１】
切欠部４４は、円周方向に対向一対のポケット爪４５を有している。各対向一対のポケット爪４５も、円周方向に等間隔に形成している。対向一対のポケット爪４５は、切欠部４４のうち、前記平面形状が２分の１円を超える大きさとするための突端部を成している。
【００３２】
ここで、環状体４３の内径は、図２、３に示すように、ボール３１のピッチ円径（ＰＣＤ）より大径になっている。環状体４３の外径は、外輪１１の高い肩１３ａの内径と低い肩１３ｂの内径の範囲内とされて、外輪１１の高さの低い肩１３ｂ側から軸受内に挿入可能とされている。
【００３３】
切欠部４４の内面は、ボール３１の外周に沿う球状とされている。
【００３４】
一方、第２分割保持器４２は、環状体４６の軸方向他側面に、環状体４６を刳り抜く平面形状が２分の１円を超える大きさの切欠部４７を円周方向に等間隔で形成した、全体が合成樹脂の成形品からなっている。
【００３５】
切欠部４７は、円周方向に対向一対のポケット爪４８を有している。各対向一対のポケット爪４８も、円周方向に等間隔に形成している。対向一対のポケット爪４８は、切欠部４７のうち、前記平面形状が２分の１円を超える大きさとするための突端部を成している。
【００３６】
環状体４６の外径は、図２、３に示すように、ボール３１のピッチ円径（ＰＣＤ）より大径になっている。環状体４６の内径は、内輪２１の高い肩２３ｂの外径と低い肩２３ａの外径の範囲内とされている。第２分割保持器４２は、高さの低い肩２３ａ側から軸受内に挿入可能とされ、かつ、第１分割保持器４１の内側に嵌合可能とされている。
【００３７】
切欠部４７の内面は、ボール３１の外周に沿う球状とされている。
【００３８】
図１、図４に示すように、第１分割保持器４１の切欠部４４と第２分割保持器４２の切欠部４７の円周方向の等配ピッチが同じなので、第１分割保持器４１の軸方向一側部内に、第２分割保持器４２の軸方向他側部を同軸に挿入する両分割保持器４１、４２の嵌合によって、同じ円周方向位置の切欠部４４、４７のポケット爪４５、４８同士が内外に重なり、これら切欠部４４、４７の球状内面により、軸受中心軸と同軸の任意の円筒断面において平面形状が円形のポケットを形成することができる。このように円形のポケットを形成する両分割保持器４１、４２組み合わせ状態において、その第１分割保持器４１と第２分割保持器４２を軸方向に非分離とする連結手段が樹脂保持器４０に設けられている。
【００３９】
その連結手段は、第１分割保持器４１の隣接する切欠部４４間に形成された柱部４９の先端部に内向きの係合爪５０を設け、かつ、環状体４３の内径面に係合爪５０と同一軸線上に溝状の係合凹部５１を形成し、第２分割保持器４２の隣接する切欠部４７間に形成された柱部５２の先端部に外向きの係合爪５３を設け、かつ、環状体４６の外径面に係合爪５３と同一軸線上に係合凹部５４を形成し、第１分割保持器４１の係合爪５０と第２分割保持器４２の係合凹部５４の係合、および、第２分割保持器４２の係合爪５３と第１分割保持器４１の係合凹部５１の係合によって、第１分割保持器４１と第２分割保持器４２とを軸方向に非分離とする構成とされている。
【００４０】
係合爪５０、５３及び係合凹部５１、５４は、前記の隣接間の全箇所にあり、最も強固な非分離化が図られている。係合爪５０、５３及び係合凹部５１、５４は、円周方向等配の３箇所以上であれば、全周に亘って非分離にするための結合力を及ぼすことができる。
【００４１】
第１分割保持器４１および第２分割保持器４２を成形する樹脂は、深みぞ玉軸受を潤滑する潤滑油に触れるため、耐油性に優れた合成樹脂を用いるようにする。そのような合成樹脂として、ポリアミド樹脂（ＰＡ）、ポリエーテルエーテルケトン樹脂（ＰＥＥＫ）、ポリフェニレンスルファイド（ＰＰＳ）を挙げることができる。ポリアミド樹脂として、ポリアミド４６（ＰＡ４６）、ポリアミド６６（ＰＡ６６）を採用することができる。これらの樹脂は、潤滑油の種類に応じて適切なものを選択して使用すればよい。
【００４２】
この深みぞ玉軸受の組立てに際しては、外輪１１の内側に内輪２１を挿入し、その内輪２１の軌道溝２２と外輪１１の軌道溝１２間に所要数のボール３１を組み込む。このとき、内輪２１を外輪１１に対して径方向にオフセットして、内輪２１の外径面の一部を外輪１１の内径面の一部に当接し、その当接部位から円周方向に１８０度ずれた位置に三日月形の空間を形成し、その空間の一側方から内部にボール３１を組み込むようにする。
【００４３】
なお、そのボール３１の組み込みに際して、外輪１１のスラスト負荷側の肩１３ａや内輪２１の肩２３ｂの高さＨ１が必要以上に高い場合には、ボール３１の組み込みを阻害することになるが、実施の形態では、ボール３１の球径に対する肩の高さＨ１の比率Ｈ１／球径が、０．５０を超えることのない高さとして、外輪１１と内輪２１間にボール３１を確実に組み込むことを可能としている。
【００４４】
ボール３１の組み込み後、内輪２１の中心を外輪１１の中心に一致させてボール３１を周方向に等間隔に配置し、外輪１１の高さの低い肩１３ｂの一側方から外輪１１と内輪２１間に第１分割保持器４１を、その第１分割保持器４１に形成された切欠部４４内にボール３１が嵌り込むようにして挿入する。また、内輪２１の高さが低い肩２３ａの一側方から外輪１１と内輪２１間に第２分割保持器４２を、その第２分割保持器４２に形成された切欠部４７内にボール３１が嵌り込むように挿入して、第１分割保持器４１の軸方向一側部内に第２分割保持器４２の軸方向他側部を嵌合する。
【００４５】
上記のように、第１分割保持器４１内に第２分割保持器４２を嵌合することにより、図１および図４に示すように、各分割保持器４１、４２に形成された係合爪５０、５３が相手方の分割保持器に設けられた係合凹部５４、５１に係合することになり、深みぞ玉軸受の組立てが完了する。このように、外輪１１の軌道溝１２と内輪２１の軌道溝２２間にボール３１を組み込んだ後、外輪１１と内輪１２間の両側方から内部に第１分割保持器４１と第２分割保持器４２とを挿入して、第１分割保持器４１内に第２分割保持器４２を嵌合する簡単な作業によって深みぞ玉軸受を組み立てることができる。
【００４６】
この深みぞ玉軸受の組立てにより、樹脂保持器４０が軸受内部に組み込まれた状態になる。このとき、図１に示すように、ポケットを形成する切欠部４４、４７同士は、ポケット爪４５の軸方向最先端を幅一端とし、ポケット爪４８の軸方向最先端を幅他端とした幅領域において内外に重なった状態になる。この切欠部４４、４７同士の重ね合わせ目５５は、ピッチ円径（ＰＣＤ）から径方向に偏った位置に形成される。切欠部４４の内径、切欠部４７の外径は、図１、図４に示すように、第１分割保持器４１の環状体４３の内径面、第２分割保持器４２の環状体４６の外径面に存在する嵌め合い面と同一面を成すように成形されている。このため、重ね合わせ目５５の径方向幅は嵌め合いの程度である。
【００４７】
図示例の重ね合わせ目５５は、ピッチ円径（ＰＣＤ）から径方向にポケットすきまδ１より大きく偏った位置に形成される。径方向のポケットすきまδ１は、ボール３１と樹脂保持器４０との間のすきまであって、ボール中心をピッチ円径（ＰＣＤ）上、かつポケットの円周方向長さ中央に置いたボール３１が、ポケット内で樹脂保持器４０に対して径方向に外側へ自由に動くことができる径方向の長さに相当する。重ね合わせ目５５とピッチ円径（ＰＣＤ）との間の径方向偏り量ｄ１は、ポケットすきまδ１より大きい。すなわち、樹脂保持器４０が軸受中心軸と同心のとき、重ね合わせ目５５は、ピッチ円径（ＰＣＤ）から径方向にポケットすきまδ１より大きく離れた位置にある。図１〜図３は、このときを図示している。
【００４８】
樹脂保持器４０が転動体案内方式なので、ある１箇所のポケットの重ね合わせ目５５が、樹脂保持器４０の偏心に伴って最も内側まで変位する径方向の変位量は、相対的には、重ね合わせ目５５が偏った側に確保されたポケットすきまδ１に相当する。樹脂保持器４０の偏心により、ある１箇所のポケットの重ね合わせ目５５が最も内側まで変位したとしても、前記同軸時の重ね合わせ目５５とピッチ円径（ＰＣＤ）の径方向位置関係を決める径方向偏り量ｄ１＞径方向のポケットすきまδ１の設定により、重ね合わせ目５５は、ピッチ円径（ＰＣＤ）の外側に位置することになる。したがって、軸受運転中、重ね合わせ目５５に異物が堆積したとしても（図２（ｂ）中に黒塗り潰しで堆積異物を概念的に示す）、ボール３１と堆積異物の衝突を防止することができる。なお、ある１箇所のポケットの重ね合わせ目５５が樹脂保持器４０の偏心に伴って外側へ変位することは、ボール３１と堆積異物の衝突防止に有利な挙動といえる。
【００４９】
前記径方向偏り量ｄ１は、内外に重なった切欠部４４、４７同士のうち、重ね合わせ目５５をピッチ円径（ＰＣＤ）から偏らせた側に位置する一方の切欠部４４の径方向肉厚ｔ１を、径方向偏り量ｄ１だけ他方の切欠部４７の径方向肉厚ｔ２よりも薄くすることで設けられている。このため、樹脂保持器４０の内外径は、ピッチ円径（ＰＣＤ）上に重ね合わせ目を形成した従来品の樹脂保持器から変更する必要がない。径方向偏り量ｄ１は、薄くする方の第１分割保持器４１又は第２分割保持器４２の剛性を所要に確保できる限り、軸受運転中、ボール３１と接触可能な樹脂保持器４０の表面領域に堆積異物が入り込むことのないよう、径方向のポケットすきまδ１より十分に大きく設定すればよい。
【００５０】
重ね合わせ目５５がピッチ円径（ＰＣＤ）から外側に偏った位置に形成されるので、第１分割保持器４１の内径、及びこの内側に挿入する第２分割保持器４２の外径を大径化し、特に軸受他端側（図１中の軸受右端側）で第１分割保持器４１の内外両側に外輪１１、内輪２１との間の径方向隙間を得易い。
【００５１】
図５〜図７に、重ね合わせ目５５がピッチ円径（ＰＣＤ）から内側に偏った位置に形成される変更例を示す。この変更例では、第１分割保持器４１の内径、及びこの内側に挿入する第２分割保持器４２の外径を小径化し、図１〜図３との比較から明らかなように、第１分割保持器４１の径方向肉厚を大きくすることができる。したがって、高速回転時に遠心力が比較的に大きく作用する第１分割保持器４１の剛性を確保し易い。
【００５２】
この深みぞ玉軸受を用いて、例えば、トランスミッションのインプットシャフト等のトルク伝達シャフトを支持し、その支持状態において、トルク伝達シャフトが回転し、外輪１１と内輪２１が相対回転すると、ボール３１は自転しつつ公転し、その公転により、樹脂保持器４０も回転し、外輪１１と内輪２１間に潤滑油が介在されていると、その潤滑油は樹脂保持器４０との接触によって連れ回されることになる。第１分割保持器４１と第２分割保持器４２は外径が異なるため、周速に差が生じ、第１分割保持器４１との接触によって連れ回される潤滑油の流れは第２分割保持器４２との接触によって連れ回される潤滑油の流れより速くなり、流れの速い側に流れの遅い側の潤滑油が引き寄せられて、軸受内部にポンプ作用が生じるので、深みぞ玉軸受の潤滑性の向上を図ることができる。
【００５３】
この深みぞ玉軸受においては、第１分割保持器４１の切欠部４４及び第２分割保持器４２の切欠部４７の開口端にボール３１を抱き込む対向一対のポケット爪４５、４８を設け、第１分割保持器４１のポケット爪４５と第２分割保持器４２のポケット爪４８を相反する方向に向く組合せとし、その組合せ状態において、係合爪５０、５３を係合凹部５４、５１に係合して第１分割保持器４１と第２分割保持器４２を軸方向に非分離としているため、大きなモーメント荷重が負荷されてボール３１に遅れや進みが生じても、樹脂保持器４０が脱落するようなことはない。
【００５４】
なお、この樹脂保持器４０においても、特許文献２〜４に開示したように、係合爪５０、５３と係合凹部５４、５１間に形成される円周方向隙間をボール３１と切欠部４４、４７間に形成される円周方向のポケットすきまより大きくしておくことにより、大きなモーメント荷重が負荷されてボール３１に遅れ進みが生じ、第１分割保持器４１と第２分割保持器４２とが相対的に回転しても、係合爪５０、５３が係合凹部５４、５１の円周方向で対向する側面に当接することを無くし、係合爪５０、５３の損傷防止を図るようにしてもよい。また、係合爪５０、５３と係合凹部５４、５１間に形成される軸方向隙間をボール３１と切欠部４４、４７間に形成される軸方向のポケットすきまより大きくしておくことにより、第１分割保持器４１と第２分割保持器４２に離反する方向の軸方向力が作用した際に、対向一対のポケット爪４５、４８の内面がボール３１の外周面に当接して、係合爪５０、５３が係合凹部５４、５１の軸方向端面に当接するというようなことを無くし、係合爪５０、５３の損傷防止を図るようにしてもよい。
【００５５】
この発明に係る第２実施形態を図８に基いて説明する。以下、第１実施形態との相違点を述べるに留め、同一の構成要素の説明を省略する。図８と図１を比較すれば明らかなように、第２実施形態は、図１例において、第１分割保持器４１に、切欠部４４よりも径方向に突出した鍔６１、６２を円周方向に亘って設け、第２分割保持器４２の切欠部４７よりも径方向に突出した鍔７１、７２を円周方向に亘って設けた点で相違するものである。
【００５６】
第１分割保持器４１の外径側の鍔６１は、円周方向に亘って切欠部４４に対し同高さで突出して外輪１１の肩１３ｂとの間の径方向隙間を狭めている。鍔６１の突出高さは、外輪１１の肩１３ａ内径より大径であって、樹脂保持器４０と外輪１１を同軸にしたとき、肩１３ｂとの間の径方向隙間が樹脂保持器４０の偏心限界を決める径方向のポケットすきまより大きな隙間となるように設定している。
【００５７】
第１分割保持器４１の内径側の鍔６２は、円周方向に亘って切欠部４４に対し同高さで突出して内輪２１の肩２３ｂとの間の径方向隙間を狭めている。鍔６２の突出高さは、組み合わせ相手側の第２分割保持器４２の切欠部４７と軸方向に対面し、ＰＣＤを超え、樹脂保持器４０と内輪２１を同軸にしたとき、肩２３ｂとの間の径方向隙間が前記径方向のポケットすきまより大きな隙間となるように設定している。
【００５８】
鍔６１、６２は、第１分割保持器４１の軸方向端部に設けられている。鍔６１、６２の反切欠部４４側の軸方向側面は、樹脂保持器４０の幅を定める片方の幅面６３に含まれている。幅面６３は、軸方向に直角な平面に沿い、かつ円周方向に亘る平坦面とされている。
【００５９】
両つば６１、６２により、第１分割保持器４１と外輪１１、内輪２１との間の径方向隙間を狭め、樹脂保持器４０の図中右側から保持器内部に流入するオイル量を減らし、公転するボール３１や切欠部４４、４７がオイルを攪拌する攪拌抵抗を減少させることができる。
【００６０】
軸受外部から内外輪間へ流入したオイルと早期に接触する肩部１３ｂ、２３ｂ間において、第２分割保持器４２の軸方向他側面に形成された切欠部４７等の先端部は、鍔６２により軸方向から覆い隠される。このため、切欠部４７等による軸方向の凹凸が肩部１３ｂ、２３ｂ間から軸方向に露出する量は、円周方向に亘って鍔６２で減らされている。鍔６２の反切欠部４４側の軸方向側面等を含む幅面６３は、円周方向に亘る平坦面となっているので、肩部１３ｂ、２３ｂ間から軸方向に露出する樹脂保持器４０の軸方向側面部分において、軸方向の凹凸が円周方向に繰り返さない部分を増やし、攪拌抵抗を減少させることができる。
【００６１】
なお、鍔６１、６２の切欠部４４側の軸方向側面も、軸方向に直角な平面に沿い、かつ円周方向に亘る平坦面とされている。これは、鍔６１、６２を超えたオイルを鍔６１、６２が攪拌する攪拌抵抗を抑制するためである。鍔６１、６２により保持器内部へのオイル流入量が減少するので、鍔６１、６２の切欠部４４側の軸方向側面に軸方向の凹凸を許容することも可能である。
【００６２】
鍔６２がピッチ円径（ＰＣＤ）を越える突出高さで設けられているので、ピッチ円径（ＰＣＤ）から偏らせた側に位置する切欠部４４の径方向肉厚を第２分割保持器４２の切欠部４７より薄くしつつ、鍔６２により、保持器内部へのオイル流入量を減少させることができる。
【００６３】
第２分割保持器４２の外径側の鍔７１は、円周方向に亘って切欠部４７に対し同高さで突出して外輪１１の肩１３ａとの間の径方向隙間を狭めている。鍔７１の突出高さは、組み合わせ相手側の第１分割保持器４１の切欠部４４と軸方向に対面し、樹脂保持器４０と外輪１１を同軸にしたとき、肩１３ａとの間の径方向隙間が前記径方向のポケットすきまより大きな隙間となるように設定している。
【００６４】
第２分割保持器４２の内径側の鍔７２は、円周方向に亘って切欠部４７に対し同高さで突出して内輪２１の肩２３ａとの間の径方向隙間を狭めている。鍔７２の突出高さは、内輪２１の肩２３ｂ外径より小径であって、樹脂保持器４０と内輪２１を同軸にしたとき、肩２３ａとの間の径方向隙間を、前記径方向のポケットすきまより大きな隙間となるように設定している。
【００６５】
鍔７１、７２は、第２分割保持器４２の軸方向端部に設けられている。鍔７１、７２の反切欠部４７側の軸方向側面は、樹脂保持器４０の幅を定める残方の幅面７３に含まれている。幅面７３は、軸方向に直角な平面に沿い、かつ円周方向に亘る平坦面とされている。なお、鍔７１、７２の切欠部４７側の軸方向側面も、上記鍔６１、６２と同じ目的で、軸方向に直角な平面に沿い、かつ円周方向に亘る平坦面とされている。
【００６６】
両つば７１、７２により、第２分割保持器４２と外輪１１、内輪２１との間の径方向隙間を狭め、樹脂保持器４０の図中左側から保持器内部に流入するオイル量を減らし、公転するボール３１や切欠部４４、４７がオイルを攪拌する攪拌抵抗を減少させることができる。
【００６７】
軸受外部から内外輪間へ流入したオイルと早期に接触する肩部１３ａ、２３ａ間において、第１分割保持器４１の軸方向一側面に形成された切欠部４４等の先端部は、鍔７１により軸方向から覆い隠される。このため、切欠部４４等による軸方向の凹凸が肩部１３ａ、２３ａ間から軸方向に露出する量は、円周方向に亘って鍔７１で減らされている。鍔７１の反切欠部４７側の軸方向側面等を含む幅面７３は、円周方向に亘る平坦面となっているので、肩部１３ａ、２３ａ間から軸方向に露出する樹脂保持器４０の軸方向側面部分において、軸方向の凹凸が円周方向に繰り返さない部分を増やし、攪拌抵抗を減少させることができる。
【００６８】
鍔６１、６２を第１分割保持器４１の軸方向端部、鍔７１、７２を第２分割保持器４２の軸方向端部に設けたので、ボール３１、切欠部４４、４７から鍔６１、６２、７１、７２を軸方向に最も遠ざけることができ、ボール３１表面でのオイル流動性が鍔６１、６２、７１、７２で低下することを避けることができる。
【００６９】
鍔６１、６２、７１、７２を両分割保持器４１、４２に設ける必要はなく、適宜に省略することが可能である。鍔６２を省略すると、内輪２１の肩２３ｂと第１分割保持器４１との間に大きな径方向隙間が生じる。このため、少なくとも、保持器内部へのオイル流入量を減少させるのに最も効果的な鍔６２を採用することが好ましい。また、鍔６２、７１を省略すると、第２分割保持器４２の軸方向他側面の凹凸、第１分割保持器４１の軸方向他側面の凹凸が、肩１３ｂ、２３ｂ間、肩１３ａ、２３ａ間から軸方向に露出する量が増大するので、鍔６２、７１の少なくとも一方を採用することが好ましく、両方を採用することがより好ましい。
【００７０】
省略例として、第３実施形態を図９に示す。図９と図５を比較すれば明らかなように、第３実施形態は、図５例において、両分割保持器４１、４２に鍔６１、７１、７２を設けたものである。第３実施形態は、第２分割保持器４２の切欠部４７の径方向肉厚を比較的に薄肉に設けたものなので、鍔７１が保持器内部へのオイル流入量を減少させるのに最も効果的なものとなっている。第１分割保持器４１の鍔６２は、切欠部４４の径方向肉厚増大に伴い、第２分割保持器４２の軸方向他側面の凹凸が肩１３ｂ、２３ｂ間から軸方向に露出する量が減り、また、樹脂保持器４０の軸方向両側面における凹凸の内輪２１との間の径方向隙間を確保するため、省略されている。
【００７１】
切欠部４４、４７は平面形状が円弧状とされたものを例示したが、これに限定されるものではなく、特許文献２〜４で開示したもののように、第１分割保持器４１と第２分割保持器４２の嵌合状態において円筒状のポケットを形成する平面Ｕ字形とされたものであってもよい。この発明の技術的範囲は、上述の各実施形態に限定されず、特許請求の範囲の記載に基く技術的思想の範囲内での全ての変更を含むものである。
【符号の説明】
【００７２】
１１  外輪
１２、２２  軌道溝
２１  内輪
１３ａ、１３ｂ、２３ａ、２３ｂ  肩
３１  ボール
４０  樹脂保持器
４１  第１分割保持器
４２  第２分割保持器
４３、４６  環状体
４４、４７  切欠部
４５、４８  ポケット爪
４９、５２  柱部
５０、５３  係合爪
５１、５４  係合凹部
５５  重ね合わせ目
６１、６２、７１、７２  鍔
６３、７３  樹脂保持器の幅面（反切欠部側の軸方向側面）
Ｈ１  高さ
ＰＣＤ  ピッチ円径
ｄ１  径方向偏り量
δ１  ポケットすきま
ｔ１、ｔ２  径方向肉厚
【図１】
2013096434.tif 000003
【図２】
2013096434.tif 000004
【図３】
2013096434.tif 000005
【図４】
2013096434.tif 000006
【図５】
2013096434.tif 000007
【図６】
2013096434.tif 000008
【図７】
2013096434.tif 000009
【図８】
2013096434.tif 000010
【図９】
2013096434.tif 000011
【図１０】
2013096434.tif 000012
【図１１】
2013096434.tif 000013
【図１２】
2013096434.tif 000014